(57)【要約】【課題】開口部への設置後に、開口部から出入りすることを可能とする開口部の防水装置を提供すること。【解決手段】構造物Ｓの屋内側と屋外側とを連通しかつ開閉扉４によって開閉される開口部Ｏに設置されるシート１０と、シート１０を開閉扉４よりも屋外側に保持する保持部材２０と、シート１０の上端部が吊り下げられる突張部材５０と、シート１０の上端部が取り付けられた複数のフック部材５１とを備える。保持部材２０は、シート１０が開閉扉４の鉛直方向下端側の所定部４１と、構造物Ｓのうち所定部４１に隣接する部分とを覆い、かつシート下部１３が床面７に沿って屋外側に延在するようにシート１０を保持する。突張部材５０は、開口部Ｏの幅方向に沿って開閉扉４よりも屋外側に設けられる。フック部材５１は、突張部材５０の長手方向に移動自在に設けられる。【選択図】図１
2015061966.tif 000002
【特許請求の範囲】
【請求項１】
構造物の屋内側と屋外側とを連通し、かつ開閉体によって開閉される開口部に設置されるシートと、
前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、
前記開閉体よりも前記屋外側に前記開口部の幅方向に沿って設けられ、かつ前記シートの上端部が吊り下げられる吊下部材と、を備える
ことを特徴とする開口部の防水装置。
【請求項２】
前記吊下部材に取り付けられ、かつ、前記シートの上端部の前記吊下部材の長手方向に対する位置を変更可能に前記シートの上端部が取り付けられる複数の取付部材を備える
ことを特徴とする請求項１に記載の開口部の防水装置。
【請求項３】
前記吊下げ部材は、前記開口部の幅よりも長いワイヤ状物であり、かつ、前記シートの幅は、前記開口部の幅よりも長いとともに、
前記開口部を止水する際には、前記ワイヤ状物の中央部を固定用金具により折り畳んで固定して、前記ワイヤ状物を張り、
前記開口部から出入りする際には、前記固定用金具を取り外して、前記ワイヤ状物及び前記シートの上端部を弛ませる
ことを特徴とする請求項１または請求項２に記載の開口部の防水装置。
【請求項４】
前記ワイヤ状物の少なくとも一端部は、互いに長さが異なり、かついずれか一つが前記開口部を囲む壁部に取り付けられる複数の枝部を備える
ことを特徴とする請求項３に記載の開口部の防水装置。
【発明の詳細な説明】
【技術分野】
【０００１】
本発明は、開口部の防水装置に関する。
【背景技術】
【０００２】
従来、開閉体によって開閉される開口部からの浸水を抑制する技術が提案されている。例えば、特許文献１には、開閉体としてのシャッターの裏面には、屈曲自在な防水シートが設けられていると共に、シャッターの幅方向の端を案内するガイド部材には、防水シートと対向するようにしてシール部材が設けられたシャッター装置の技術が開示されている。特許文献１に示されたシャッター装置は、氾濫水等の水圧がシャッターの表面に作用すると、防水シートがシール部材に圧接されるようになっている、浸水防止機能を備えている。
【先行技術文献】
【特許文献】
【０００３】
【特許文献１】特許第４４５９７４０号公報
【発明の概要】
【発明が解決しようとする課題】
【０００４】
前述した特許文献１に示された技術では、開口部に設置してしまうと、シャッターの裏面に防水シートを取り付けているために、開口部から出入りすることができない。このように、前述した特許文献１に示された技術では、開口部への設置後に、開口部から出入りすることができない。
【０００５】
本発明の目的は、開口部への設置後に、開口部から出入りすることを可能とする開口部の防水装置を提供することである。
【課題を解決するための手段】
【０００６】
本発明の開口部の防水装置は、構造物の屋内側と屋外側とを連通し、かつ開閉体によって開閉される開口部に設置されるシートと、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、前記開閉体よりも前記屋外側に前記開口部の幅方向に沿って設けられ、かつ前記シートの上端部が吊り下げられる吊下部材と、を備えることを特徴とする。
【０００７】
上記開口部の防水装置では、シートの上端部を吊り下げる吊下部材が開閉体よりも屋外側に設けられているので、シートに水圧が作用することで、シートが構造物に密着する。したがって、開口部の防水装置は、開口部からの浸水を抑制することができる。
【０００８】
また、シートの上端部を吊り下げる吊下部材が開閉体よりも屋外側に設けられているので、シートを開閉体から間隔をあけて吊下部材により吊り下げることができる。このために、吊下部材がシートの上端部を吊り下げた状態であっても、シートに水圧が作用する前では、開閉体が開口部を開閉することができる。したがって、開口部の防水装置は、開口部からの浸水を抑制しながらも、シートや吊下部材を跨ぐことにより、開口部への設置後に、開口部から出入りすることを可能とする。
【０００９】
上記開口部の防水装置において、前記吊下部材に取り付けられ、かつ、前記シートの上端部の前記吊下部材の長手方向に対する位置を変更可能に前記シートの上端部が取り付けられる複数の取付部材を備えることが好ましい。
【００１０】
上記開口部の防水装置では、取付部材がシートの上端部の吊下部材の長手方向に対する位置を変更可能であるので、開口部に設置される際に、シートの上端部を適宜移動させて、吊下部材に取り付けることができる。よって、開口部の防水装置は、容易に開口部に設置することができる。
【００１１】
上記開口部の防水装置において、前記吊下げ部材は、前記開口部の幅よりも長いワイヤ状物であり、かつ、前記シートの幅は、前記開口部の幅よりも長いとともに、前記開口部を止水する際には、前記ワイヤ状物の中央部を固定用金具により折り畳んで固定して、前記ワイヤ状物を張り、前記開口部から出入りする際には、前記固定用金具を取り外して、前記ワイヤ状物及び前記シートの上端部を弛ませることが好ましい。
【００１２】
上記開口部の防水装置では、固定用金具を取り外すと、ワイヤ状物とシートの上端部が弛むので、ワイヤ状物及びシートの上端部を容易に跨ぐことができ、開口部への設置後に、開口部から出入りすることを確実に可能とすることができる。
【００１３】
上記開口部の防水装置において、前記ワイヤ状物の少なくとも一端部は、互いに長さが異なり、かついずれか一つが前記開口部を囲む壁部に取り付けられる複数の枝部を備えることが好ましい。
【００１４】
上記開口部の防水装置では、ワイヤ状物の少なくとも一端部が長さの異なる複数の枝部を備えているので、枝部の一つを選択して、ワイヤ状物を設置することで、ワイヤ状物即ち防水装置を種々の幅の開口部に設置することができる。
【発明の効果】
【００１５】
本発明に係る開口部の防水装置は、開口部からの浸水を抑制しながらも、開口部から出入りすることを可能とできるという効果を奏する。
【図面の簡単な説明】
【００１６】
【図１】図１は、実施形態１に係る開口部の防水装置を示す斜視図である。
【図２】図２は、実施形態１に係る開口部の防水装置により防水される開口部などを示す斜視図である。
【図３】図３は、図２に示された開口部などに突張部材が取り付けられた状態を示す斜視図である。
【図４】図４は、図１に示された開閉扉が開いた状態を示す斜視図である。
【図５】図５は、実施形態１の変形例に係る開口部の防水装置の突張部材を示す斜視図である。
【図６】図６は、実施形態２に係る開口部の防水装置を示す斜視図である。
【図７】図７は、図６に示された開口部の防水装置の吊下げ用ワイヤを示す斜視図である。
【図８】図８は、図６に示された開口部の防水装置の吊下げ用金具を示す斜視図である。
【図９】図９は、実施形態２の変形例１に係る開口部の防水装置を示す斜視図である。
【図１０】図１０は、図９に示された開口部の防水装置の吊下げ用ワイヤを弛ませた状態を示す斜視図である。
【図１１】図１１は、実施形態２の変形例２に係る開口部の防水装置の要部を示す斜視図である。
【図１２】図１２は、実施形態２の変形例３に係る開口部の防水装置の吊下げ用ワイヤの斜視図である。
【発明を実施するための形態】
【００１７】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１８】
［実施形態１］
図１から図４を参照して、実施形態１について説明する。実施形態１は、構造物の開口部を防水する開口部の防水装置に関する。図１は、本発明の実施形態１に係る開口部の防水装置を示す斜視図、図２は、実施形態１に係る開口部の防水装置により防水される開口部などを示す斜視図、図３は、図２に示された開口部などに突張部材が取り付けられた状態を示す斜視図、図４は、図１に示された開閉扉が開いた状態を示す斜視図である。
【００１９】
建物等の構造物の外部開口部には、開閉体としてのシャッターや開閉扉が付けられることが多い。例えば、洪水時などに浸水しやすい地下駐車場の入口や、浸水すると商品が毀損されやすい店舗の入口等にもシャッターや開閉扉が付けられていることが多い。シャッターは、隙間が多い構造であるため、ゲリラ豪雨や洪水時にはシャッターの隙間を介した浸水によってこれらの施設が被害に遭う可能性がある。また、開閉扉には、扉間及び各扉と開口部との間に隙間があるために、ゲリラ豪雨や洪水時には隙間を介した浸水によって店舗等の施設が被害に遭う可能性がある。
【００２０】
浸水対策として、シャッターや開閉扉の下部を防水板（パネル）に変更する方法も考えられるが、一般的に高額となりやすいため、ユーザーにとって受け入れにくい場合がある。
【００２１】
実施形態１の開口部の防水装置１は、開閉体としてのシャッターや開閉扉の前にシートを設置して、簡易的にかつ安価に止水することを可能とする。シートは、開閉体とその周囲の構造物とを一体に覆うことで、開閉体と構造物との隙間を閉塞し、適切に止水することができる。よって、実施形態１の開口部の防水装置１によれば、水害による建物内部の被害を軽減することができる。
【００２２】
図１に示す開口部の防水装置１は、構造物Ｓの開口部Ｏ（図２に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓのガラスなどの透明又は半透明の材料で構成された壁部３等に形成されており、構造物Ｓの屋外側と屋内側とを連通している。本実施形態では、開口部Ｏは、アルミニウム合金で構成されかつ壁部３よりも厚い縦方立３ａなどにより囲まれている。また、本実施形態では、壁部３の下端部には、図１、図２及び図３に示すように、壁部３よりも厚い幅木６が設けられている。
【００２３】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁部３に形成されており、壁部３を貫通して構造物Ｓの屋外と屋内とを連通している。なお、これに限らず、開口部Ｏは、構造物Ｓの内部を仕切る壁部に形成されたものであってもよい。また、壁部は、予め十分な止水性を有するものが好ましいが、例えば、嵌め殺しサッシ、塀などの許容できる範囲内で水漏れするもの、又は、別途止水性を付加（例えば、土嚢の設置や公知の水密処理など）して止水性を発揮するものでもよい。
【００２４】
前述した開口部Ｏには、当該開口部Ｏを開閉する開閉体としての開閉扉４が設けられている。開閉扉４は、図２及び図３に示すように、開閉方向、本実施形態では左右水平方向に移動する扉５を一対備えている。
【００２５】
開閉扉４の一対の扉５は、図示しないガイドレールによって案内される。ガイドレールは、開口部Ｏの上下両端に設けられ、壁部３の表面と平行である。扉５の上下方向の両端部は、それぞれガイドレールの溝部に挿入されている。溝部は、開閉方向即ち左右水平方向に延在しており、扉５を開閉方向、即ち、左右方向に移動自在に案内する。扉５の幅方向の両端には、扉５よりも厚い扉側縦方立５ａが設けられ、扉５の下端部には、扉５よりも厚い扉側幅木５ｂが設けられている。扉側縦方立５ａの厚みと扉側幅木５ｂの厚みは等しい。なお、本発明でいう床面とは、説明上分かりやすくするための便宜上の表現であって、通常の床面７のみならず、コンクリート面や地面等の開口部Ｏの下方に位置する面を総称する。
【００２６】
開閉扉４は、一対の扉５が互いに近付いて開口部Ｏを閉塞し、一対の扉５が互いに離間して開口部Ｏを開放する。扉５の移動は、手動でなされても、モータ等の駆動装置によって自動でなされてもよい。本実施形態の開閉扉４は、一対の扉５、ガイドレールなどを有する。
【００２７】
図１に戻り、開口部の防水装置（以下、防水装置と呼ぶ）１は、シート１０、一対の保持部材２０、押圧部材３０と、突張部材５０（吊下部材に相当）と、複数のフック部材５１（取付部材に相当）などを備える。シート１０は、開口部Ｏに設置されるものであり、開口部Ｏの鉛直方向下端側の領域を閉塞することが可能な幅および長さを有している。シート１０の形状は、例えば、矩形である。シート１０は、遮水性を有しており、開口部Ｏの防水シートとして機能することができる。また、シート１０は、可撓性を有しており、伸縮可能であってもよい。シート１０の素材は、例えば、樹脂、ゴム、表面を樹脂などでコーティングした布とすることができる。シート１０は、水圧によって追従して変形可能な素材で構成されることが好ましい。
【００２８】
シート１０の幅は、開閉扉４の幅よりも大きい。また、シート１０の幅は、開口部Ｏの幅Ｗ（図１及び図２参照）よりも大きいことが好ましい。シート１０の鉛直方向の長さは、対応すべき水深に基づいて定められている。すなわち、開閉扉４の下端から鉛直方向上側に向けてどの範囲をシート１０によって覆い防水するかに基づいてシート１０の全長が定められている。以下の説明では、開閉扉４においてシート１０によって覆われるべき部分を「所定部」（図１の符号４１参照）と称する。所定部４１は、開閉扉４の鉛直方向下端側の部分である。
【００２９】
また、シート１０の上端部には、シート１０を吊り下げるための吊下用孔１２が、複数設けられている。吊下用孔１２は、シート１０の上端部を貫通し、かつシート１０の幅方向に間隔をあけて設けられている。
【００３０】
シート１０の幅方向の両端には、それぞれ、心材１１が配置されている。心材１１は、軽量でかつ可撓性を有する素材、例えば樹脂素材で形成されている。心材１１は、シート１０の幅方向の両端の上端から所定部４１の下端に対応する箇所、即ち、シート１０の幅方向の両端の後述のシート下部１３を除く箇所に配置されている。心材１１は、シート１０の長さ方向（鉛直方向）に延在している。心材１１は、円柱状に形成され、シート１０の壁部３及び扉５に対向する面に設けられ、保持部材２０のシート保持部２２に挿入可能である。
【００３１】
保持部材２０は、シート１０を開閉扉４よりも屋外側に位置付けて構造物Ｓに対して保持する。より詳しくは、保持部材２０は、開閉扉４の所定部４１と、構造物Ｓのうち所定部４１に隣接する部分とを一体に覆うことで開口部Ｏの鉛直方向下端側を閉塞させるようにシート１０を保持する。また、保持部材２０は、シート１０の鉛直方向下端部が床面７に沿って屋外側に向けて延在するようにシート１０の幅方向の両端を保持する。これにより、シート１０は、開閉扉４が有する隙間や開閉扉４と構造物Ｓとの隙間を塞ぎ、屋内側への浸水を抑制することができる。なお、本明細書では、シート１０の鉛直方向下端部であって、シート１０が保持部材２０によって保持された状態で床面７に沿って延在する部分を、以下「シート下部１３」と記載する。
【００３２】
図１に示すように、保持部材２０は、一対設けられ、縦方立３ａに着脱自在である。保持部材２０は、図１及び図４などに示すように、縦方立３ａに取り付けられる取付部２１と、取付部２１に設けられたシート保持部２２とを備えている。
【００３３】
取付部２１とシート保持部２２とは、アルミニウム合金等で一体に構成されている。取付部２１は、平板状に形成されている。取付部２１は、縦方立３ａの表面に重ねられて、縦方立３ａに取り付けられる。シート保持部２２は、断面Ｃ字形に形成され、かつ取付部２１の表面上に設けられている。シート保持部２２は、一対の保持部材２０同士が対向する面にスリット２２ａが形成されている。シート保持部２２は、スリット２２ａ内にシート１０の幅方向の端及び心材１１が挿入されることで、シート１０の幅方向の端を保持する。保持部材２０は、取付部２１が縦方立３ａに取り付けられると、鉛直方向に延在し、開閉扉４の所定部４１に対応する範囲に配置される。すなわち、保持部材２０は、開閉扉４の下端から所定部４１の上端までの範囲に対応して配される。なお、本発明では、保持部材２０は、防水装置１の防水性能等の使用上の問題がないような実質的な意味で開閉扉４の所定部４１に対応していればよく、例えば、保持部材２０の上端は必ずしも所定部４１の上端と一致せず、若干下側に位置していてもよい。保持部材２０は、シート１０に一体に形成されても良い。保持部材２０を構成する材質は、シート１０を保持できれば任意であり、アルミニウム合金に替えて、例えば、硬質性の樹脂等でもよい。保持部材２０のシート保持部２２のスリット２２ａの幅は、シート１０と心材１１をあわせた厚みよりも小さいため、心材１１がスリット２２ａを介してシート保持部２２から抜け出ることが規制される。なお、心材１１は、円柱状のものには限定されず、例えば、断面が矩形などの多角形の平板状であってもよい。
【００３４】
押圧部材３０は、シート１０のシート下部１３上に配置されて、シート１０を構造物Ｓ及び床面７に向けて押圧するものであり、例えばシート１０を床面７、構造物Ｓの壁部３、縦方立３ａ，５ａおよび開閉扉４の各扉５に向けて押圧する。押圧部材３０は、図１に示すように、シート下部１３上の開口部Ｏの幅方向に沿って連続的に配置される。押圧部材３０は、隙間無く配置されても、隣接する押圧部材３０間に所定の隙間を設けて配置されても良い。押圧部材３０は、棒状あるいは板状であることが好ましい。本実施形態に係る押圧部材３０は、板状のフラットバーである。押圧部材３０は、例えば、金属製であり、浮力に抗してシート１０のシート下部１３を床面７に向けて押圧することができる質量や密度を有している。押圧部材３０は、シート下部１３が床面７に沿って配置された後でシート下部１３上に設置される。これにより、押圧部材３０は、開閉扉４の下端部の近傍においてシート１０を床面７に密着させておくことができる。押圧部材３０は、一本でもよいし、複数に分割されていても結果として開口部Ｏの幅方向に沿って連続的に配置されていてもよい。なお、使用上における止水目的を達成できれば、連続的でなく、若干途切れている箇所があってもよい。
【００３５】
突張部材５０は、棒状に形成され、長手方向が開口部Ｏの幅方向に沿って設けられて、シート１０の上端部が吊り下げられるものである。突張部材５０は、両端が縦方立３ａに取り付けられて、開閉扉４よりも屋外側に設けられる。また、突張部材５０は、所定部４１の上端よりも若干高い位置(上方)に、開閉扉４から間隔をあけて設けられる。突張部材５０の長手方向は、水平方向と平行である。突張部材５０は、長手方向即ち開口部Ｏの幅方向に伸縮自在であるとともに、伸縮された後の長手方向即ち開口部Ｏの幅方向の長さを維持することができる。突張部材５０の両端が縦方立３ａに取り付けられた際の床面７からの突張部材５０の高さＬは、人が跨げる程度であることが望ましく、例えば、１６（建築基準法施行令に定められた小学校の児童の階段の蹴上げ寸法の上限）ｃｍから３８（ＪＩＳ（日本工業規格）  Ｓ  １０２１における身長１５０ｃｍの人の教室用椅子４号の座面の高さ）ｃｍ程度であるのが望ましい。また、床面７からの突張部材５０の高さＬは、止水高さの要望次第では椅子などを台にして跨ぐことを前提に１ｍ程度まででもよく、脚立などを使って渡ることを前提に１．５ｍ程度まででもよい。
【００３６】
フック部材５１は、突張部材５０に取り付けられ、かつ、シート１０の上端部の突張部材５０の長手方向に対する位置を変更可能にシート１０の上端部が取り付けられるものである。フック部材５１は、突張部材５０の長手方向に移動自在に、突張部材５０に取り付けられる。フック部材５１は、側方からみて、Ｓ字状に形成されている。フック部材５１の一端部の被取付部５２の内径は、突張部材５０の外径よりも十分に大きく形成され、内側に突張部材５０を通すことで、フック部材５１を突張部材５０の長手方向に移動自在とする。フック部材５１の他端部の被取付部５２に連なったフック状の引っ掛け部５３は、被取付部５２から一旦下方に向かって延在した後に、上方に向かって湾曲している。引っ掛け部５３は、吊下用孔１２内に挿入されることで、シート１０の上端部が取り付けられる。フック部材５１は、被取付部５２の内側に突張部材５０を通し、かつ引っ掛け部５３が吊下用孔１２内に挿入されることで、シート１０の上端部を突張部材５０に吊り下げるとともに、シート１０の上端部の突張部材５０の長手方向に対する位置を変更可能とする。また、本発明では、フック部材５１の被取付部５２は、内径が突張部材５０の外径よりも十分に大きなリング状又はＣ字状に形成されてもよく、この場合、引っ掛け部５３は、被取付部５２の適宜箇所に連なっていてもよい。さらに、本発明では、フック部材５１は、一端部が互いに回転自在に連結したＣ字状の部材を一対備えて構成されてもよく、この場合、Ｃ字状の部材の他端部同士が離間した状態で吊下用孔１２内に挿入されて、突張部材５０に引っ掛けられた後に、他端部同士が互いに固定されて、シート１０の上端部を突張部材５０に吊り下げるのが望ましい。さらに、本発明では、フック部材５１は、Ｓ字状ではなく、Ｏ字状であるリング状とし、予め吊下用孔１２内に挿入されているようにしてもよい。この場合には、突張部材５０が縦方立３ａに取り付けられる前にフック部材５１のリング部を突張部材５０に通し、その後、突張部材５０を縦方立３ａに取り付ける。
【００３７】
シート１０を開口部Ｏに設置する方法、即ち、防水装置１を組み立てる方法を、実施形態について説明する。
【００３８】
シート１０を開口部Ｏに設置する即ち防水装置１を組み立てる場合、まず、図３に示すように、縦方立３ａに保持部材２０を取り付けるとともに、突張部材５０を適宜伸縮して、突張部材５０の両端を縦方立３ａに取り付ける。なお、このとき、突張部材５０の長手方向を水平方向と平行とし、突張部材５０を所定部４１の上端よりも若干上方に配置する。
【００３９】
そして、シート１０の幅方向の両端及び心材１１を、保持部材２０の上端からシート保持部２２内に挿入し、シート１０の両端及び心材１１を保持部材２０の下端に向けてシート保持部２２内で移動させる。そして、シート１０の両端及び心材１１が保持部材２０のシート保持部２２に挟持され、シート１０の心材１１が設けられていないシート下部１３を、保持部材２０の下端に設けられた間隙を通して、床面７上に引き出し、床面７に沿って屋外側に向けて延在させる。さらに、フック部材５１の引っ掛け部５３を吊下用孔１２内に挿入して、突張部材５０にシート１０の上端部を吊り下げる。また、本発明では、先に突張部材５０にシート１０を吊り下げ、その後にシート１０を保持部材２０に保持させてもよい。また、押圧部材３０をシート１０上に配置した後に突張部材５０にシート１０を吊り下げてもよい。突張部材５０にシート１０を吊り下げるタイミングは、フック部材５１や突張部材５０の構成、現場の状況等にあわせて適宜選択することでよい。
【００４０】
シート１０の幅は、開口部Ｏの幅Ｗ（図２参照）よりも大きく、以下に示すような幅に設定している。すなわち、シート１０の両端が保持部材２０によって保持された状態で、シート１０は、若干のたるみを有している。つまり、保持部材２０は、シート１０がたるみを有した状態でシート１０を保持し、シート１０が保持部材２０よりも開閉扉４側に向けて撓むことを許容する。また、シート１０の上端部を吊り下げる突張部材５０は、開閉扉４から間隔をあけて設けられている。従って、シート１０は、保持部材２０によって保持されかつ上端部が突張部材５０から吊り下げられた状態で、シート１０を開閉扉４から間隔をあけた状態に保つことができる程度のたるみを有していることが好ましい。なお、突張部材５０にシート１０の上端部を吊り下げる際、シート１０の幅と、開口部Ｏの幅Ｗとの寸法差に応じて、隣接する吊下用孔１２同士が重なるように、シート１０を適宜折り畳んで、開口部Ｏに設置されたシート１０が若干のたるみを有するのが望ましい。
【００４１】
また、シート１０の鉛直方向の長さは、開閉扉４の所定部４１の鉛直方向の長さよりも長く、以下に示すような長さに設定している。すなわち、シート１０が保持部材２０によって保持された状態で、シート下部１３を床面７上に垂らし、床面７に沿わせることが可能である。シート１０は、このシート下部１３を床面７に沿って屋外側に向けて延在された状態で設置される。言い換えると、シート１０は、シート下部１３に設けられた床面７と対向し、かつシート下部１３が先端側へ向かうに従い開閉扉４から離間するように配置される。
【００４２】
そして、押圧部材３０をシート下部１３上に配置する。こうして、シート１０が所定部４１と壁部３の所定部４１に隣接する部分とを一体に覆いかつシート下部１３が床面７に沿って屋外側に向けて延在した状態で、押圧部材３０によりシート１０を床面７、構造物Ｓの壁部３、縦方立３ａ，５ａおよび開閉扉４の各扉５に向けて押圧する。こうして、防水装置１が組み立てられる。
【００４３】
実施形態１の防水装置１では、洪水やゲリラ豪雨等によって屋外の水嵩が増すと、まずシート下部１３が水に接する。水圧によってシート下部１３は床面７に向けて押圧されて、シート下部１３が床面７に密着する。これにより、シート下部１３と床面７との間から水が浸入することが抑制される。また、押圧部材３０によってシート下部１３が床面７に向けて押圧されていることで、低水位の場合であってもシート下部１３と床面７との隙間を介した浸水がより確実に抑制される。また、押圧部材３０は、水流等によってシート下部１３が浮き上がることを抑制することが可能である。シート１０は、水圧によって所定部４１と、所定部４１に隣接する床面７とを一体に覆うことができる。
【００４４】
また、シート１０において、縦方立３ａ，５ａおよび開閉扉４の各扉５を覆う部分は、水圧によって壁部３、縦方立３ａ，５ａおよび開閉扉４の各扉５に向けて押圧される。これにより、シート１０は、開閉扉４の所定部４１と、構造物Ｓのうち所定部４１に隣接する部分とを一体に覆うことができる。シート１０は、水圧によって押圧されることにより、壁部３、縦方立３ａ等に密着し、シート１０と壁部３、縦方立３ａの間に水が浸入することを抑制することができる。
【００４５】
また、シート１０は、水圧によって壁部３、縦方立３ａの間の隙間を塞ぐことで、これらの隙間を介した屋内側への浸水を抑制することができる。シート１０は、水圧によって開閉扉４の所定部４１と、所定部４１に隣接する床面７との隙間を塞ぐことで、開閉扉４と床面７との隙間を介した屋内側への浸水を抑制することができる。
【００４６】
シート１０は、水圧によって壁部３、縦方立３ａ，５ａおよび開閉扉４の各扉５に対して押圧されるため、水位が増加するに従い壁部３、縦方立３ａに対する密着性が増し、また各隙間を閉塞する閉塞性が増す。よって、シート１０は、水位に応じて遮水性能が増し、適切に屋内側への浸水を抑制することができる。
【００４７】
また、シート１０は、水圧によって壁部３、縦方立３ａ，５ａおよび開閉扉４の各扉５に対して押圧されても、突張部材５０が開閉扉４から間隔をあけて配置されかつ若干のたるみしか有していないために、開閉扉４の各扉５から間隔をあけることとなる。このために、防水装置１を開口部Ｏに設置した状態であっても、図４に示すように、開閉扉４の各扉５により開口部Ｏを開放することができる。
【００４８】
実施形態１の防水装置１によれば、シート１０の上端部を吊り下げる突張部材５０が開口部Ｏの幅方向に沿って開閉扉４よりも屋外側に設けられているので、シート１０に水圧が作用することで、シート１０が構造物Ｓの縦方立３ａに密着する。したがって、防水装置１は、シート１０により開口部Ｏからの浸水を抑制することができる。
【００４９】
また、防水装置１は、シート１０の上端部を吊り下げる突張部材５０が開閉扉４よりも屋外側に設けられているので、シート１０を開閉扉４から間隔をあけて突張部材５０により吊り下げることができる。このために、突張部材５０がシート１０の上端部を吊り下げた状態であっても、開閉扉４が開口部Ｏを開放することができる。したがって、防水装置１は、開口部Ｏからの浸水を抑制しながらも、シート１０や突張部材５０を跨ぐことにより、開口部Ｏへの設置後に、開口部Ｏから出入りすることを可能とする。
【００５０】
さらに、防水装置１では、フック部材５１が突張部材５０の長手方向に対するシート１０の上端部の位置を変更可能であるので、開口部Ｏに設置される際に、シート１０の上端部を適宜移動させて、シート１０の上端部を取り付けることができる。よって、防水装置１は、容易に開口部Ｏに設置することができる。
【００５１】
［変形例］
次に、実施形態１の変形例に係る防水装置１について図５を参照して説明する。実施形態１では、突張部材５０の両端部を縦方立３ａに取り付けていたが、変形例では、図５に示すように、突張部材５０の両端部に床面７から立設する立設柱５５を設けて、突張部材５０を自立型とする。なお、図５は、本発明の実施形態１の変形例に係る開口部の防水装置の突張部材を示す斜視図であり、図５において、実施形態１と同一部分には、同一符号を付して説明を省略する。また、本発明では、吊下部材を通常は開口部Ｏの上方の位置または収納させておき、吊下部材が必要となった時点で、上方から例えば両端がワイヤ等の紐状部材で巻かれた吊下部材を、紐状部材を巻きほどいて垂下させ、紐状部材で所定位置に吊り持ちさせるようにしてもよい。実施形態１の変形例に係る防水装置１は、前述した実施形態１と同様に、開口部Ｏへの設置後に、開口部Ｏから出入りすることを可能とすることができ、容易に開口部Ｏに設置することができる。
【００５２】
実施形態１及び変形例では、フック部材５１を突張部材５０の長手方向に移動自在としたが、本発明では、フック部材５１を突張部材５０の長手方向に移動自在とせずに、吊下用孔１２を幅方向と平行な長孔として、フック部材５１にシート１０の上端部の突張部材５０の長手方向に対する位置を変更可能にシート１０の上端部が取り付けられてもよい。
【００５３】
［実施形態２］
次に、実施形態２に係る防水装置１−２について図６から図８を参照して説明する。図６は、実施形態２に係る開口部の防水装置を示す斜視図である。図７は、図６に示された開口部の防水装置の吊下げ用ワイヤを示す斜視図である。図８は、図６に示された開口部の防水装置の吊下げ用金具を示す斜視図である。なお、図６〜図８において、実施形態１及び変形例と同一部分には、同一符号を付して説明を省略する。
【００５４】
実施形態２に係る防水装置１−２は、図６に示すように、突張部材５０及びフック部材５１の代わりに、ワイヤ状物としての吊下げ用ワイヤ６０（吊下部材に相当）と、複数の吊下げ用金具６１（取付部材に相当）とを備えている。吊下げ用ワイヤ６０は、開閉扉４よりも屋外側に開口部Ｏの幅方向に沿って設けられ、シート１０の上端部が吊り下げられるものである。吊下げ用ワイヤ６０は、図７に示すように、縦方立３ａに取り付けられる例えば円柱状の取付用金具６２（図６に示す）に引っ掛けられる一対のフック状金具６３と、フック状金具６３が両端に取り付けられたワイヤ本体６４とを備えている。ワイヤ本体６４は、伸縮性を有するゴムで構成されてもよく、伸縮性を有さない複数の金属製などのワイヤなどで構成されてもよい。実施形態２では、ワイヤ本体６４即ち吊下げ用ワイヤ６０の長さは、開口部Ｏの幅Ｗと略等しく形成されている。また、吊下げ用ワイヤ６０の両端が縦方立３ａに取り付けられた際の床面７からの吊下げ用ワイヤ６０の高さＬは、実施形態１の突張部材５０の両端が縦方立３ａに取り付けられた際の床面７からの突張部材５０の高さＬと等しい。
【００５５】
吊下げ用金具６１は、吊下げ用ワイヤ６０に取り付けられ、かつ、シート１０の上端部の吊下げ用ワイヤ６０の長手方向に対する位置を変更可能にシート１０の上端部が取り付けられるものである。吊下げ用金具６１は、図８に示すように、側面視がＣ字状の金具本体６５と、金具本体６５に下端部を中心に回動自在に設けられかつ下端部を中心に回動することで金具本体６５の切欠き６５ａを開閉する開閉部材６６とを備えている。開閉部材６６は、図示しないばねなどにより金具本体６５の切欠き６５ａを閉じるように付勢されている。また、実施形態２に係る防水装置１−２では、シート１０の上端部に設けられた吊下用孔１２には、リング状のハトメ１２ａが取り付けられている。
【００５６】
実施形態２に係る防水装置１−２は、吊下げ用ワイヤ６０のフック状金具６３を縦方立３ａに取り付けられる取付用金具６２に引っ掛けて、吊下げ用ワイヤ６０の両端を縦方立３ａに取り付ける。そして、シート１０の幅方向の両端を保持部材２０に保持させ、吊下げ用金具６１の金具本体６５の切欠き６５ａを開放させた開閉部材６６を吊下用孔１２に取り付けられたハトメ１２ａ内に挿入するとともに、金具本体６５を吊下げ用ワイヤ６０に引っ掛けて、吊下げ用ワイヤ６０にシート１０の上端部を吊り下げるなどして、シート１０を開口部Ｏに設置する即ち防水装置１−２を組み立てる。
【００５７】
実施形態２に係る防水装置１−２は、前述した実施形態１と同様に、開口部Ｏへの設置後に、開口部Ｏから出入りすることを可能とすることができ、容易に開口部Ｏに設置することができる。
【００５８】
［変形例１］
次に、実施形態２の変形例１に係る防水装置１−２について図９及び図１０を参照して説明する。図９は、実施形態２の変形例１に係る開口部の防水装置を示す斜視図である。図１０は、図９に示された開口部の防水装置の吊下げ用ワイヤを弛ませた状態を示す斜視図である。なお、図９および図１０において、実施形態１、変形例、実施形態２と同一部分には、同一符号を付して説明を省略する。
【００５９】
実施形態２の変形例１に係る防水装置１−２は、吊下げ用ワイヤ６０の長さ及びシート１０の幅を開口部Ｏの幅Ｗよりもはるかに長くし、開口部Ｏを止水する際には、図９に示すように、吊下げ用ワイヤ６０の中央部を固定用金具６７により折り畳んで固定して、吊下げ用ワイヤ６０を張る。固定用金具６７は、吊下げ用ワイヤ６０の折り畳まれた中央部同士を挟持する挟持部材を備えて、挟持部材が挟持することで、吊下げ用ワイヤ６０の中央部同士を折り畳んで固定する。
【００６０】
また、実施形態２の変形例１に係る防水装置１−２は、開口部Ｏを止水する際には、図９に示すように、シート１０の中央部を折り畳んでシート１０の上端部を張る。そして、実施形態２の変形例１に係る開口部の防水装置１は、シート１０に水圧が作用する前で開口部Ｏから出入りする際には、図１０に示すように、固定用金具６７を吊下げ用ワイヤ６０から取り外して、吊下げ用ワイヤ６０及びシート１０の上端部を弛ませる。そして、吊下げ用ワイヤ６０及びシート１０の上端部の中央部の床面７からの高さＬ１を前述した高さＬよりも下げて、開口部Ｏの出入りを容易にする。なお、吊下げ用ワイヤ６０の長さ及びシート１０の幅Ｗは、固定用金具６７により吊下げ用ワイヤ６０の中央部同士が固定されない弛まされた状態で、吊下げ用ワイヤ６０及びシート１０の上端部の中央部の床面７からの高さＬ１が人が跨げる程度の例えば３０ｃｍ以下となる寸法であるのが望ましい。
【００６１】
実施形態２の変形例１に係る防水装置１−２は、前述した実施形態１と同様に、開口部Ｏへの設置後に、開口部Ｏから出入りすることを可能とすることができ、容易に開口部Ｏに設置することができる。さらに、実施形態２の変形例１に係る防水装置１−２は、固定用金具６７を吊下げ用ワイヤ６０から取り外すと、吊下げ用ワイヤ６０とシート１０の上端部が弛むので、これらの床面７からの高さを開口部Ｏを止水する際よりも下げることができ、吊下げ用ワイヤ６０及びシート１０の上端部を容易に跨ぐことができる。したがって、防水装置１−２は、開口部Ｏへの設置後に、開口部Ｏから出入りすることを確実に可能とすることができる。
【００６２】
［変形例２］
次に、実施形態２の変形例２に係る防水装置１−２について図１１を参照して説明する。図１１は、実施形態２の変形例２に係る開口部の防水装置の要部を示す斜視図である。なお、図１１において、実施形態１、変形例、実施形態２、変形例１と同一部分には、同一符号を付して説明を省略する。
【００６３】
実施形態２の変形例２に係る防水装置１−２は、図１１に示すように、吊下げ用ワイヤ６０のワイヤ本体６４をシート１０の上端部に設けられた吊下用孔１２に取り付けられたハトメ１２ａに順に通して、シート１０を開口部Ｏに設置する。なお、吊下げ用ワイヤ６０のワイヤ本体６４をシート１０の上端部に設けられた吊下用孔１２に取り付けられたハトメ１２ａに順に通す際には、吊下げ用ワイヤ６０のワイヤ本体６４をシート１０の屋外側、屋内側に交互に重ねる。実施形態２の変形例２に係る防水装置１−２は、実施形態２の効果にくわえ、取付部材としての吊下げ用金具６１が不要であるので、部品点数を削減することができる。
【００６４】
［変形例３］
次に、実施形態２の変形例３に係る防水装置１−２について図１２を参照して説明する。図１２は、実施形態２の変形例３に係る開口部の防水装置の吊下げ用ワイヤの斜視図である。なお、図１２において、実施形態１、変形例、実施形態２、変形例１、変形例２と同一部分には、同一符号を付して説明を省略する。
【００６５】
実施形態２の変形例３に係る防水装置１−２の吊下部材としての吊下げ用ワイヤ６０の両端部６０ａ，６０ａは、図１２に示すように、複数の枝部６８を備えている。複数の枝部６８は、基端部がワイヤ本体６４に連なり、先端部にフック状金具６３を取り付けている。枝部６８は、互いに長さが異なり、いずれか一つのフック状金具６３が取付用金具６２に引っ掛けられて、開口部Ｏを囲む壁部３に相当する縦方立３ａに取り付けられる。
【００６６】
実施形態２の変形例３に係る防水装置１−２は、実施形態２などの効果にくわえ、吊下げ用ワイヤ６０の少なくとも一端部６０ａが長さの異なる複数の枝部６８を備えているので、枝部６８を一つ選択して、吊下げ用ワイヤ６０を設置することで、吊下げ用ワイヤ６０即ち防水装置１−２を種々の幅の開口部Ｏに設置することができる。または、長さの異なる複数の枝部６８を備えているので、枝部６８を都度選択して、吊下げワイヤ６０を設置することで、吊下げワイヤ６０を張ったり弛ませたりすることができる。なお、図１２に示す例では、吊下げ用ワイヤ６０の両端部６０ａ，６０ａは、それぞれ、複数の枝部６８を備えているが、本発明では、吊下げ用ワイヤ６０の少なくとも一端部６０ａが、複数の枝部６８を備えていればよい。また、枝部６８の分岐点は、吊下げワイヤ６０の長手方向に複数箇所有ってもよく、さらにひとつの分岐点当たりで分岐する複数の枝部６８の内、枝部６８の長さがほぼフック状金具６３のみで構成される枝部６８があっても良い。
【００６７】
吊下げ用ワイヤ６０は、所定の長手方向途中（長手方向の半分の位置など）でフックやバックルなどの連結具を用いて分離・結合自在としてもよい。吊下げ用ワイヤ６０を長手方向途中で分離すると、吊下げ用ワイヤ６０とシート１０の上端部が弛むので、これらの床面７からの高さを開口部Ｏを止水する際よりも下げることができ、シート１０の上端部を容易に跨ぐことができる。したがって、防水装置１−２は、開口部Ｏへの設置後に、開口部Ｏから出入りすることが確実に可能とすることができる。
【００６８】
また、実施形態１、実施形態２及び変形例などでは、開閉体として開閉扉４を示しているが、本発明では、開閉体として、複数のスラットを開閉方向に連接して形成されて昇降動作などの移動することで開口部Ｏを開閉するシャッターカーテンを用いても良い。また、本発明では、開閉体として、片開き引戸、引き違い引戸、屋内側に回動する開き戸、折り畳み戸、引き戸と開き戸からなる親子扉、カーテン部に潜り戸を設けたシャッター、袖扉を有しその袖扉と一緒に開口部Ｏを閉鎖するシャッター、格子状の門扉であってもよい。さらに、本発明では、開閉体は、防水装置１を設置している間、状況に応じて開閉するのが望ましい。
【００６９】
上記の実施形態及び変形例に開示された内容は、適宜組み合わせて実施することができる。
【符号の説明】
【００７０】
１，１−２  開口部の防水装置
４  開閉扉（開閉体）
７  床面
１０  シート
１３  シート下部（鉛直方向下端部）
２０  保持部材
４１  所定部
５０  突張部材（吊下部材）
５１  フック部材（取付部材）
６０  吊下げ用ワイヤ（吊下部材、ワイヤ状物）
６０ａ  端部
６１  吊下げ用金具（取付部材）
６７  固定用金具
６８  枝部
Ｏ  開口部
Ｓ  構造物
【図１】
2015061966.tif 000003
【図２】
2015061966.tif 000004
【図３】
2015061966.tif 000005
【図４】
2015061966.tif 000006
【図５】
2015061966.tif 000007
【図６】
2015061966.tif 000008
【図７】
2015061966.tif 000009
【図８】
2015061966.tif 000010
【図９】
2015061966.tif 000011
【図１０】
2015061966.tif 000012
【図１１】
2015061966.tif 000013
【図１２】
2015061966.tif 000014